(57)【要約】【課題】構造がシンプルなブローアウトパネル開閉装置を提供すること。【解決手段】ブローアウトパネル開閉装置１００は、建造物２の開口部２ａを開閉するブローアウトパネル１と、建造物２内の圧力を検出するセンサＳと、ブローアウトパネル１を駆動させて開口部２ａを開閉させる開閉装置３と、を備えている。開閉装置３は、センサＳで検出した建造物２内の圧力が、予め設定した所定値を超えたら駆動してブローアウトパネル１を開放させ、センサＳで検出した建造物２内の圧力が、予め設定した所定値以下のときに、ブローアウトパネル１を閉塞させ、建造物２内の圧力に応じて繰り返して開放及び閉塞することが可能である。【選択図】図１
2020165739.tif 000002
【特許請求の範囲】
【請求項１】
建造物の開口部を開閉するブローアウトパネルと、
前記建造物内の圧力を検出するセンサと、
前記ブローアウトパネルを駆動させて前記開口部を開閉させる開閉装置と、を備え、
前記開閉装置は、前記センサで検出した前記建造物内の圧力が、予め設定した所定値を超えたら駆動して前記ブローアウトパネルを開放させ、
前記センサで検出した前記建造物内の圧力が、予め設定した所定値以下のときに、前記ブローアウトパネルを閉塞させ、
前記建造物内の圧力に応じて繰り返して開放及び閉塞することが可能であること
を特徴とするブローアウトパネル開閉装置。
【請求項２】
前記センサは、前記建造物内の圧力と、予め設定した所定の震度以上の震度と、をそれぞれ検出し、
前記開閉装置は、前記センサで所定の震度以上の震度を検出しても、前記建造物内の圧力が予め設定した所定値を超えない限り、前記ブローアウトパネルを開放しないこと
を特徴とする請求項１に記載のブローアウトパネル開閉装置。
【請求項３】
前記ブローアウトパネルは、基端部に設けられて、当該ブローアウトパネルを前記建造物に対して回動自在に連結するヒンジ部を備え、
前記開閉装置は、前記センサで検出した検出信号で駆動するモータと、
前記モータによって回転駆動されるネジ部材と、
前記ネジ部材に螺合して進退する雌ネジ部材と、
前記雌ネジ部材と前記ブローアウトパネルとを回動自在に連結された連結部材と、を備え、
前記モータは、前記センサで検出した検出信号で回転駆動することによって、前記ネジ部材を回転させることで、前記ヒンジ部を中心として前記ブローアウトパネルを回動させて、前記開口部を開閉させること
を特徴とする請求項１または請求項２に記載のブローアウトパネル開閉装置。
【請求項４】
前記開閉装置は、前記ブローアウトパネルの上端部に設けられて、当該ブローアウトパネルを前記建造物に対して回動自在に連結するヒンジ部と、
前記センサで検出した検出信号で駆動するシリンダ機構と、を備え、
前記シリンダ機構は、前記センサで検出した検出信号で駆動してロッドを進退させることで、前記ヒンジ部を中心として前記ブローアウトパネルを回動させて、前記開口部を開閉させること
を特徴とする請求項１または請求項２に記載のブローアウトパネル開閉装置。
【請求項５】
前記開閉装置は、前記ブローアウトパネルの上端部に設けられて、前記建造物に対して進退する当該ブローアウトパネルを案内するガイドと、
前記ガイドに平行に対向配置されたベルトコンベアと、を備え、
前記ベルトコンベアは、前記センサで検出した検出信号で駆動して、ベルトを前進、または、後退させることで、前記ブローアウトパネルを前記開口部から離間、近接させて前記開口部を開閉させること
を特徴とする請求項１または請求項２に記載のブローアウトパネル開閉装置。
【請求項６】
前記ブローアウトパネルは、基端部に設けられて、当該ブローアウトパネルを前記建造物に対して回動自在に連結するヒンジ部を備え、
前記開閉装置は、前記ブローアウトパネルの先端部に一端部を連結したワイヤと、
前記センサで検出した検出信号で駆動して巻き取るウインチ装置と、を備え、
前記ウインチ装置は、前記センサで検出した検出信号で駆動して、前記ワイヤを引き上げ、または、引き下ろすことで、前記ブローアウトパネルを、前記ヒンジ部を中心として回動させて前記開口部を開閉させること
を特徴とする請求項１または請求項２に記載のブローアウトパネル開閉装置。
【請求項７】
前記ブローアウトパネルは、基端部側に折曲形成された折曲部と、
前記折曲部に回動自在に軸支された軸部と、
を備え、
前記開閉装置は、側面視して略Ｘ字に回動自在に連結した一対の回動部材と、
前記一対の回動部材間に介在された圧縮バネと、
前記一対の回動部材の上下外側に設置されて、前記一対の回動部材をそれぞれ外側から押圧する一対の押圧装置と、
を備え、
前記一対の押圧装置は、前記センサで検出した検出信号で駆動して、前記一対の回動部材を圧縮状態、または、伸展状態にすることで、前記ブローアウトパネルを、前記軸部を中心として回動させて前記開口部を開閉させること
を特徴とする請求項１または請求項２に記載のブローアウトパネル開閉装置。
【請求項８】
前記ブローアウトパネルは、基端部側に折曲形成された折曲部と、
前記折曲部に回動自在に軸支された軸部と、
前記折曲部の先端に形成されて係止爪と、
を備え、
前記開閉装置は、前記センサで検出した検出信号で駆動するモータと、
前記モータによって回転駆動され、前記係止爪に係止するラチェット歯を有するラチェット歯車と、を備え、
前記モータは、前記センサで検出した検出信号で回転駆動して、前記ラチェット歯車を回転させて、前記ラチェット歯が前記係止爪を回動させることで、前記ブローアウトパネルを、前記軸部を中心として回動させて前記開口部を開閉させること
を特徴とする請求項１または請求項２に記載のブローアウトパネル開閉装置。
【発明の詳細な説明】
【技術分野】
【０００１】
本発明は、ブローアウトパネル開閉装置に関する。
【背景技術】
【０００２】
従来から、原子力施設では、建造物内で何らかの事故によって屋内の内圧が上昇した場合、建造物の開口部を閉塞しているブローアウトパネル（閉止パネル）を開放させるブローアウト装置を備えたものが知られている（例えば、特許文献１参照）。
【０００３】
特許文献１に記載のブローアウト装置は、閉止パネルと、建造物の内圧を検出する圧力計と、圧力計が所定値以上になったときに破壊される固定装置と、閉止パネルに設けられたワイヤと、ワイヤの他端を巻き取るパネル復旧装置と、を備えている。そのブローアウト装置は、閉止パネルを固定する固定装置が破損することで、閉止パネルが転倒して開放されるように構成されている。
【０００４】
また、そのブローアウト装置のパネル復旧装置は、建屋の内部圧力を測定する圧力計の測定値を受けてワイヤの他端を巻き取ることで、閉止パネルによって建屋の開口部を閉塞するように構成されている。
【先行技術文献】
【特許文献】
【０００５】
【特許文献１】特開２００９−１２１９１７号公報（図１）
【発明の概要】
【発明が解決しようとする課題】
【０００６】
しかし、特許文献１に記載のブローアウト装置は、建造物の内部圧力を検出する圧力計の検出値が所定値以上になったときに、固定装置が破壊されることで開放される構造になっている。このため、その後、パネル復旧装置で閉止パネルを閉塞した場合は、固定装置が破壊されているので、再度、閉止パネルを開放することができないという問題点があった。
【０００７】
例えば、特許文献１に記載のブローアウト装置では、建造物の内部圧力が上昇、下降を繰り返した場合、内部圧力に応じて閉止パネルを繰り返して開放及び閉塞させることができないという問題点があった。
【０００８】
そこで、本発明は、前記課題を解決するためになされたものであり、建造物内の圧力に応じて繰り返して開放及び閉塞することが可能なブローアウトパネル開閉装置を提供することを目的としている。
【課題を解決するための手段】
【０００９】
本発明は、建造物の開口部を開閉するブローアウトパネルと、前記建造物内の圧力を検出するセンサと、前記ブローアウトパネルを駆動させて前記開口部を開閉させる開閉装置と、を備え、前記開閉装置は、前記センサで検出した前記建造物内の圧力が、予め設定した所定値を超えたら駆動して前記ブローアウトパネルを開放させ、前記センサで検出した前記建造物内の圧力が、予め設定した所定値以下のときに、前記ブローアウトパネルを閉塞させ、前記建造物内の圧力に応じて繰り返して開放及び閉塞することが可能であることを特徴とする。
ここで、建造物内の圧力とは、建造物内に設けられた適宜な部屋内の空気圧、あるいは、建造物の外壁の内側内に設けられた部屋内の空気圧（以下適宜「圧力」という）をいう。
【発明の効果】
【００１０】
本発明によれば、建造物内の圧力に応じて繰り返して開放及び閉塞することが可能なブローアウトパネル開閉装置を提供することができる。
【図面の簡単な説明】
【００１１】
【図１】本発明の実施形態に係るブローアウトパネル開閉装置を示す一部断面を有する概略側面図である。
【図２】開口部を開放したときの状態を示す一部断面を有する概略側面図である。
【図３】開口部を開放したときの状態を示す一部断面を有する概略斜視図である。
【図４】本発明の実施形態に係るブローアウトパネル開閉装置の第１変形例を示す一部断面を有する概略側面図である。
【図５】本発明の実施形態に係るブローアウトパネル開閉装置の第２変形例を示す一部断面を有する概略側面図である。
【図６】本発明の実施形態に係るブローアウトパネル開閉装置の第３変形例を示す一部断面を有する概略側面図である。
【図７】本発明の実施形態に係るブローアウトパネル開閉装置の第３変形例を示す図で、ブローアウトパネルを開放したときの状態を示す一部断面を有する概略側面図である。
【図８】本発明の実施形態に係るブローアウトパネル開閉装置の第４変形例を示す図で、（ａ）は開口部を閉塞しているときの状態を示す一部断面を有する概略側面図、（ｂ）は開口部を開放したときの状態を示す一部断面を有する概略側面図である。
【図９】本発明の実施形態に係るブローアウトパネル開閉装置の第５変形例を示す図で、（ａ）は開口部を閉塞しているときの状態を示す一部断面を有する概略側面図、（ｂ）は開口部を開放したときの状態を示す一部断面を有する概略側面図、（ｃ）は開口部が閉塞されたときの状態を示す一部断面を有する概略側面図である。
【発明を実施するための形態】
【００１２】
図１〜図３を参照して本発明の実施形態に係るブローアウトパネル開閉装置１００を説明する。
まず、ブローアウトパネル１を説明する前に、ブローアウトパネル１が設置される建造物２、ヒンジ部１０を説明する。
【００１３】
＜建造物＞
図１に示す建造物２は、例えば、原子炉関連施設の原子炉建屋である。建造物２の壁部２１には、建造物２内を換気するための複数の開口部２ａが形成されている。壁部２１は、建造物２の屋内側と、屋外側とを仕切る躯体である。
【００１４】
＜開口部＞
開口部２ａは、ブローアウトパネル１が外れたときに形成される開口である。開口部２ａは、建造物２内の内圧を低下させたり、建造物２内を換気させたりするための開口である。開口部２ａは、例えば、壁部２１を貫通して形成された正面視して四角形の貫通孔からなる。開口部２ａの外側周縁の壁部２１には、シール材４が設けられている。開口部２ａには、例えば、窓枠を設けても、設けなくても、どちらでもよい。
【００１５】
＜シール材＞
シール材４は、開口部２ａの屋外側の外周面２ｂと、ブローアウトパネル１の当接面１ａと、が当接して開口部２ａを閉塞した際に、隙間無く密着するように当接して気密性を高めるための部材である。シール材４は、四角形の枠板状のパッキン、ガスケット等からなる。
【００１６】
＜ヒンジ部＞
ヒンジ部１０は、ブローアウトパネル１を建造物２に対して回動自在に連結するための蝶番の機能を有する部材である。ヒンジ部１０は、ブローアウトパネル１の左右上端部にそれぞれ突設された軸部１１と、開口部２ａの上部の側部の左右から屋外方向に向けて突設されて、軸部１１を回動自在に軸支する軸受部１２と、を備えている。
【００１７】
＜ブローアウトパネル＞
ブローアウトパネル１は、建造物２の開口部２ａを開放して屋内の内圧を低下させたり、屋内の物質が外部に漏出するのを防止するために遮断したりする開閉体（扉体）である。ブローアウトパネル１は、基端部に設けられて、ブローアウトパネル１を建造物２に対して回動自在に連結する前記のヒンジ部１０と、開閉装置３の連結部材３３が回動自在に連結される前記の開閉装置連結部１３と、を有している。
【００１８】
図３に示すように、ブローアウトパネル１は、正面視して四角形の厚板状部材からなる。ブローアウトパネル１は、例えば、スチール、ステンレス鋼等の金属、あるいは、カーボン複合材によって形成されている。また、ブローアウトパネル１は、四角形の厚板状部材をステンレス鋼板で覆ったものであってもよい。
【００１９】
ブローアウトパネル１は、閉塞した際に、四角形の開口部２ａの開口縁に設けられた四角形の枠板形状のゴム製部材からなるシール材４に当接して、開口部２ａを密閉するように配置されている。
【００２０】
＜ブローアウトパネル開閉装置＞
図１に示すように、ブローアウトパネル開閉装置１００は、ブローアウトパネル１を回動させて、自動的に建造物２の開口部２ａを開放及び閉塞させるための装置である。ブローアウトパネル開閉装置１００は、建造物２の開口部２ａを開閉するブローアウトパネル１と、建造物２内の圧力を検出するセンサＳと、ブローアウトパネル１を駆動させて開口部２ａを開閉する開閉装置３と、を備えて構成されている。
【００２１】
＜センサ＞
センサＳは、建造物２の適宜な部屋の内壁等に設置されて、建造物２内の空気圧を検出する圧力センサと、予め設定した所定の震度以上の震度を検知する地震検知センサと、の機能を備えている。センサＳは、圧力センサと地震検知センサとの二つのセンサであっても、また、圧力センサの機能と地震検知センサの機能との二つの機能を備えた一つのセンサであってもよい。また、センサＳは、所定の震度以上の震度を検出して、大きな地震が発生したときに、ブローアウトパネル１で開口部２ａを閉塞する地震検出機能を有する。センサＳは、開口部２ａが形成された建造物２の内側の部屋に設置されている。センサＳは、制御装置（図示省略）を介して開閉装置３に接続されている。
【００２２】
＜開閉装置＞
開閉装置３は、センサＳで検出した建造物２内の圧力が、予め設定した所定値（例えば、５６０ｋｐａ）を超えたら駆動してブローアウトパネル１を開放させ、センサＳで検出した建造物２内の圧力が、予め設定した所定値以下のときに、ブローアウトパネル１を閉塞させる装置である。開閉装置３は、建造物２内の圧力に応じて繰り返して開放及び閉塞することが可能である。
開閉装置３は、モータＭと、ネジ部材３１と、雌ネジ部材３２と、連結部材３３と、ガイド部材３４と、を備えて構成されている。つまり、開閉装置３は、モータＭによってネジ部材３１を回転させることで、ブローアウトパネル１を雌ネジ部材３２で開閉させるモータネジ機構からなる。
【００２３】
モータＭは、センサＳで検出した検出信号に応じて、ネジ部材３１を正転駆動、及び、反転駆動させる電動モータである。モータＭは、開口部２ａの上部に屋内側の壁部２１に取り付けられている。モータＭは、センサＳで検出した検出信号で回転駆動して、ネジ部材３１を回転させることで、ヒンジ部１０を中心としてブローアウトパネル１を回動させて、開口部２ａを開閉させる。
なお、モータＭは、ネジ部材３１を回転駆動させることができれば、壁部２１の屋外側の壁面や、ネジ部材３１の中間部あるいは先端部に設けてもよい。
【００２４】
ネジ部材３１は、モータＭによって回転駆動される雄ネジ状のネジ軸部材である。ネジ部材３１は、外周部に雌ネジ部材３２に螺合される雄ネジ部が形成されている。その雄ネジ部は、例えば、ボールネジからなる。ネジ部材３１は、基端側が壁部２１を回転自在に挿通してモータＭに連結され、中間部が雌ネジ部材３２に螺合され、先端部が支持部材３４ｂに回転自在に支持されている。
【００２５】
雌ネジ部材３２は、ネジ部材３１に螺合して、ネジ部材３１に沿って進退するナット状部材である。雌ネジ部材３２は、例えば、ネジ部材３１との当接面に鋼球を内設したボールネジからなる。
【００２６】
連結部材３３は、雌ネジ部材３２と、ブローアウトパネル１に固定された開閉装置連結部１３と、を回動自在に連結した平板状部材からなる。
【００２７】
ガイド部材３４は、雌ネジ部材３２を備えたネジ部材３１を、回動自在に支持する部材である。図３に示すように、ガイド部材３４は、開口部２ａの上方の壁部２１から屋外側に水平に突出した厚板状部材からなる庇状部材３４ａと、庇状部材３４ａの先端側下面に固定された軸受状の支持部材３４ｂと、を備えて構成されている。
【００２８】
≪ブローアウトパネル開閉装置の作用≫
次に、図１〜図３を参照しながら本発明の実施形態に係るブローアウトパネル開閉装置１００の作用を説明する。
【００２９】
図１に示すように、ブローアウトパネル１は、建造物２の屋内の内圧が予め設定した所定値以下の平常時の状態の場合、開口部２ａを閉塞した状態に配置されている。
【００３０】
そして、ブローアウトパネル１は、図２及び図３に示すように、建造物２内の圧力が予め設定した所定値を超えたことをセンサＳで検出したときに、センサＳの検出値に応じて、制御装置（図示省略）がモータＭを開方向に回転駆動させる。モータＭが開方向に回転すると、ネジ部材３１が屋外方向に移動して、連結部材３３を介在してブローアウトパネル１を引き上げる。すると、ブローアウトパネル１は、開口部２ａを開放して、建造物２内の内気等を放出させる。
【００３１】
そして、センサＳで検出した建造物２内の圧力が、予め設定した所定値以下に低下すると、センサＳの検出値に応じて、制御装置（図示省略）がモータＭを閉方向に回転駆動させる。モータＭが閉方向に回転すると、ネジ部材３１が屋内方向に移動して、連結部材３３を介在してブローアウトパネル１を引き下ろす。すると、ブローアウトパネル１は、開口部２ａを閉塞して、建造物２内の内気等が屋外に放出されるのを抑制する。
【００３２】
その後、建造物２内の圧力が変動して、所定値を超えたり、所定以下になったりした場合は、建造物２内の圧力値に応じてブローアウトパネル１の開放及び閉塞が行われる。このため、建造物２内の圧力が所定値以上になるのを防止すると共に、建造物２内の空気等が必要以上に屋外に放出されるのを防止することができる。
【００３３】
また、開閉装置３は、所定の震度以上の震度が発生しても、建造物２内の圧力が予め設定した所定値を超えない限り、ブローアウトパネル１を開放しないので、大きな地震が発生しても、不用意に建造物２内の空気等を放出することがない。
【００３４】
このように、本発明は、図１〜図３に示す建造物２の開口部２ａを開閉するブローアウトパネル１と、建造物２内の圧力を検出するセンサＳと、ブローアウトパネル１を駆動させて開口部２ａを開閉させる開閉装置３と、を備え、開閉装置３は、センサＳで検出した建造物２内の圧力が、予め設定した所定値を超えたら駆動してブローアウトパネル１を開放させ、センサＳで検出した建造物２内の圧力が、所定値以下のときに、ブローアウトパネル１を閉塞させ、建造物２内の圧力に応じて繰り返して開放及び閉塞することが可能である。
【００３５】
かかる構成によれば、開閉装置３は、センサＳで検出した建造物２内の圧力が、予め設定した所定値を超えたら駆動してブローアウトパネル１を開放させる。これにより、建造物２内の圧力が高くなれば、建造物２内の内気等を放出させて、圧力を低下させることができる。
また、開閉装置３は、センサＳで検出した建造物２内の圧力が、予め設定した所定値以下のときに、ブローアウトパネル１を閉塞させることで、建造物２内の内気等が必要以上に放出されるのを阻止することができる。
このように、ブローアウトパネル開閉装置１００は、建造物２内の圧力の変動に応じて繰り返して開放及び閉塞することが可能である。このため、建造物２内の圧力が所定値以上になるのを防止すると共に、開放時に建造物２内の空気等が必要以上に屋外に漏れるの防止することができる。
【００３６】
また、センサＳは、建造物２内の圧力と、予め設定した所定の震度以上の震度と、をそれぞれ検出し、開閉装置３は、センサＳで所定の震度以上の震度を検出しても、建造物２内の圧力が予め設定した所定値を超えない限り、ブローアウトパネル１を開放しない。
【００３７】
かかる構成によれば、開閉装置３は、所定の震度以上の震度が発生しても、建造物２内の圧力が予め設定した所定値を超えない限り、ブローアウトパネル１が開放されないので、大きな地震が発生しても、不用意に開放されないようにすることができる。
【００３８】
また、図１及び図３に示すように、ブローアウトパネル１は、基端部に設けられて、当該ブローアウトパネル１を建造物２に対して回動自在に連結するヒンジ部１０を備え、開閉装置３は、センサＳで検出した検出信号で駆動するモータＭと、モータＭによって回転駆動されるネジ部材３１と、ネジ部材３１に螺合して進退する雌ネジ部材３２と、雌ネジ部材３２とブローアウトパネル１とを回動自在に連結された連結部材３３と、を備え、モータＭは、センサＳで検出した検出信号で回転駆動することによって、ネジ部材３１を回転させることで、ヒンジ部１０を中心としてブローアウトパネル１を回動させて、開口部２ａを開閉させる。
【００３９】
かかる構成によれば、開閉装置３は、センサＳの検出信号で駆動するモータＭと、モータＭで回転駆動されるネジ部材３１と、ネジ部材３１によって進退する雌ネジ部材３２と、雌ネジ部材３２とブローアウトパネル１とに連結された連結部材３３と、を備えてなるシンプルな構造である。
また、モータＭは、センサＳの検出信号で回転駆動して、ネジ部材３１を回転させることで、ブローアウトパネル１を回動させて、開口部２ａを開閉させることができる。このため、本発明は、建造物２内の圧力に応じて、ブローアウトパネル１を効率よく開閉させることができる。
【００４０】
［第１変形例］
なお、本発明は、前記実施形態に限定されるものではなく、その技術的思想の範囲内で種々の改造及び変更が可能であり、本発明はこれら改造及び変更された発明にも及ぶことは勿論である。なお、以下の変形例において、既に説明した構成は同じ符号を付してその説明を省略する。
【００４１】
図４は、本発明の実施形態に係るブローアウトパネル開閉装置１００Ａの第１変形例を示す一部断面を有する概略側面図である。
【００４２】
前記実施形態では、図１に示すように、ブローアウトパネル１を開閉させる開閉機能の一例として、モータネジ機構からなる場合を説明したが、これに限定されるものではない。
【００４３】
本発明は、図４に示す第１変形例のように、開閉装置３Ａは、ブローアウトパネル１Ａの上端部に設けられて、当該ブローアウトパネル１Ａを建造物２に対して回動自在に連結するヒンジ部１０Ａと、センサＳで検出した検出信号で駆動するシリンダ機構３０Ａと、を備え、シリンダ機構３０Ａは、センサＳで検出した検出信号で駆動してロッド３２Ａを進退させることで、ヒンジ部１０Ａを中心としてブローアウトパネル１Ａを回動させて、開口部２ａを開閉させるようにしてもよい。
【００４４】
この場合、開閉装置３Ａのシリンダ機構３０Ａは、シリンダ３１Ａと、シリンダ３１Ａから屋外方向に進退自在に設けられたロッド３２Ａと、シリンダ３１Ａを開口部２ａ内に設置するためのシリンダ設置部３３Ａと、を備えて構成されている。シリンダ機構３０Ａは、シリンダ３１Ａに供給した圧縮空気によってロッド３２Ａを作動させる圧縮空気式のもの、シリンダ３１Ａに供給した油圧によってロッド３２Ａを作動させる油圧式のもの、シリンダ３１Ａで発生した磁力でロッド３２Ａを作動させる電磁式のもの、あるいは、シリンダ３１Ａに設けた電動モータによってロッド３２Ａを進退する動させる電動歯車機構式のものからなる。
【００４５】
また、ロッド３２Ａは、開閉するブローアウトパネル１Ａの押圧位置のストロークに応じて、二段式、あるいは、三段式に伸縮するピストンロッド状のものであってもよい。
【００４６】
かかる構成によれば、ブローアウトパネル１Ａは、シリンダ機構３０ＡがセンサＳで検出した検出信号で駆動してロッド３２Ａを進退させることで、ブローアウトパネル１Ａを回動させて、開口部２ａを開閉させることができる。
【００４７】
［第２変形例］
図５は、本発明の実施形態に係るブローアウトパネル開閉装置１００Ｂの第２変形例を示す一部断面を有する概略側面図である。
【００４８】
また、本発明は、図５に示す第２変形例のように、開閉装置３Ｂは、ブローアウトパネル１Ｂの上端部に設けられて、建造物２に対して進退する当該ブローアウトパネル１Ｂを案内するガイド３３Ｂと、ガイド３３Ｂに平行に対向配置されたベルトコンベア３０Ｂと、を備え、ベルトコンベア３０Ｂは、センサＳで検出した検出信号で駆動して、ベルト３１Ｂを前進、または、後退させることで、ブローアウトパネル１Ｂを開口部２ａから離間、近接させて開口部２ａを開閉させるようにしてもよい。
【００４９】
この場合、ベルトコンベア３０Ｂは、モータＭｂと、モータＭｂの駆動によって回転するコンベア用のベルト３１Ｂと、ベルト３１Ｂを支持するローラ３２Ｂと、を備えている。ベルトコンベア３０Ｂは、モータＭｂ及びベルト３１Ｂの基端側が開口部２ａの下端部に配置されて、ベルト３１Ｂの基端側が開口部２ａの下端部から屋外側に水平に延設されている。ベルト３１Ｂの上面には、ブローアウトパネル１Ｂの下端部が垂設されている。
【００５０】
ガイド３３Ｂは、建造物２の壁部２１からガイド３３Ｂに沿って屋外側に突出した状態に設置されている。ガイド３３Ｂの先端には、ブローアウトパネル１Ｂの移動を規制するストッパ３３Ｂａが設けられている。
ブローアウトパネル１Ｂは、上端部が、ガイド３３Ｂの下面に摺動自在に配置され、下端部が、ベルト３１Ｂ上に垂直に固定される。このため、ブローアウトパネル１Ｂは、ベルト３１Ｂが駆動すると、屋外側及び屋内側に直線移動する。
【００５１】
開口部２ａ内の上下には、屋外側の外周面にシール材４を設置した突起２２Ｂ，２３Ｂが設けられている。その突起２２Ｂ，２３Ｂは、ブローアウトパネル１Ｂが屋内側に移動する範囲を規制するためのストッパである。
【００５２】
ブローアウトパネル１Ｂは、平板状部材からなる。ブローアウトパネル１Ｂは、ベルト３１Ｂ上に垂直に立設されて、ガイド３３の下面に、垂直な状態を維持したまま摺動可能に配置されている。
【００５３】
かかる構成によれば、開閉装置３Ｂは、ブローアウトパネル１Ｂの移動を案内するガイド３３Ｂと、ブローアウトパネル１Ｂを移動させるベルトコンベア３０Ｂと、を備えて構成されていることで、ブローアウトパネル１Ｂを平行移動させて、開口部２ａを開閉させることができる。
【００５４】
［第３変形例］
図６は、本発明の実施形態に係るブローアウトパネル開閉装置１００Ｃの第３変形例を示す一部断面を有する概略側面図である。図７は、本発明の実施形態に係るブローアウトパネル開閉装置１００Ｃの第３変形例を示す図で、ブローアウトパネル１Ｃを開放したときの状態を示す一部断面を有する概略側面図である。
【００５５】
また、本発明は、図６及び図７に示す第３変形例のように、ブローアウトパネル１Ｃは、基端部に設けられて、当該ブローアウトパネル１Ｃを建造物２に対して回動自在に連結するヒンジ部１０Ｃを備え、開閉装置３Ｃは、ブローアウトパネル１Ｃの先端部に一端部を連結したワイヤ３１Ｃと、センサＳで検出した検出信号で駆動して巻き取るウインチ装置３０Ｃと、を備え、ウインチ装置３０Ｃは、センサＳで検出した検出信号で駆動して、ワイヤ３１Ｃを引き上げ、または、引き下ろすことで、ブローアウトパネル１Ｃを、ヒンジ部１０Ｃを中心として回動させて開口部２ａを開閉させるようにしてもよい。
【００５６】
この場合、ブローアウトパネル１Ｃは、ヒンジ部１０Ｃの軸部１１Ｃを中心として屋外方向に回動自在に設けられている。ブローアウトパネル１Ｃは、先端部に開閉装置連結部１３Ｃ，１４Ｃを有し、基端部に開閉装置連結部１５Ｃを有している。
【００５７】
先端部屋外側の開閉装置連結部１３Ｃには、開口部２ａの外側上部の壁部２１に設置されたブローアウトパネル開放用のウインチ装置３０Ｃによって巻き取られるワイヤ３１Ｃが連結されている。
【００５８】
先端部屋内側の開閉装置連結部１４Ｃには、開口部２ａ内の内側下部の底面に設置されたブローアウトパネル閉塞用のウインチ装置３４Ｃによって巻き取られるワイヤ３２Ｃが連結されている。
【００５９】
基端部屋内側の開閉装置連結部１５Ｃには、開口部２ａ内の内側天井面に設置されたブローアウトパネル閉塞用のウインチ装置３５Ｃによって巻き取られるワイヤ３３Ｃが連結されている。
【００６０】
開口部２ａ内には、ブローアウトパネル１Ｃが開口部２ａを閉塞した際に、ブローアウトパネル１Ｃに密着するシール材４を設置するための枠形状の突起２２Ｃ，２３Ｃが突出形成されている。
【００６１】
ワイヤ３１Ｃ，３２Ｃ，３３Ｃは、ウインチ装置３０Ｃ，３４Ｃ，３５Ｃによって巻き取ることができるものであればよく、ロープ、ケーブル等の線状部材であってもよい。
【００６２】
かかる構成によれば、ウインチ装置３０Ｃは、センサＳの検出信号で駆動して、ワイヤ３１Ｃを引き上げ、または、引き下ろすことで、ブローアウトパネル１Ｃを、ヒンジ部１０Ｃを中心として回動させて開口部２ａを開閉させることができる。また、ブローアウトパネル１Ｃで開口部２ａを閉塞する際には、ウインチ装置３４Ｃ，３５Ｃでワイヤ３２Ｃ，３３Ｃを巻き取ることで、開口部２ａを閉塞させてもよい。
【００６３】
［第４変形例］
図８は、本発明の実施形態に係るブローアウトパネル開閉装置１００Ｄの第４変形例を示す図で、（ａ）は開口部２ａを閉塞しているときの状態を示す一部断面を有する概略側面図、（ｂ）は開口部２ａを開放したときの状態を示す一部断面を有する概略側面図である。
【００６４】
また、本発明は、図８に示す第４変形例のように、ブローアウトパネル１Ｄは、基端部側に折曲形成された折曲部１Ｄａと、折曲部１Ｄａに回動自在に軸支された軸部１１Ｄと、を備え、開閉装置３Ｄは、側面視して略Ｘ字に回動自在に連結した一対の回動部材３１Ｄと、一対の回動部材３１Ｄ間に介在された圧縮バネ３２Ｄと、一対の回動部材３１Ｄの上下外側に設置されて、一対の回動部材３１Ｄをそれぞれ外側から押圧する一対の押圧装置３３Ｄと、を備え、一対の押圧装置３３Ｄは、センサＳで検出した検出信号で駆動して、一対の回動部材３１Ｄを圧縮状態、または、伸展状態にすることで、ブローアウトパネル１Ｄを、軸部１１Ｄを中心として回動させて開口部２ａを開閉させるようにしてもよい。
【００６５】
この場合、ブローアウトパネル１Ｄは、基端部に折曲部１Ｄａを有し、側面視して、略Ｌ字形状に形成されている。折曲部１Ｄａは、側面視して略Ｘ字に回動自在に連結された一対の回動部材３１Ｄ間に配置されて、回動部材３１Ｄが回動すると、ブローアウトパネル１Ｄが軸部１１Ｄを中心として回動するように軸支されている。
【００６６】
圧縮バネ３２Ｄは、一対の回動部材３１Ｄ間に介在されて、略Ｘ字状に配置された一対の回動部材３１Ｄの端部間を押し広げるように配置されている。
一対の押圧装置３３Ｄは、一対の回動部材３１Ｄの端部間が圧縮バネ３２Ｄによって広がるのを規制する装置である。押圧装置３３Ｄは、図４に示すシリンダ機構３０Ａと同様に、シリンダ３３Ｄａと、シリンダ３３Ｄａに進退自在に設けられたロッド３３Ｄｂと、を備えて構成されている。その押圧装置３３Ｄは、図４に示すシリンダ機構３０Ａと同様に、圧縮空気式のものでも、油圧式のものでも、電磁式のものでも、電動歯車機構式のものでもよい。
一対の押圧装置３３Ｄは、開口部２ａの天井面に設置されたケース体３４Ｄ内に設けられている。
【００６７】
かかる構成によれば、一対の押圧装置３３Ｄは、センサＳの検出信号で駆動して、一対の回動部材３１Ｄを圧縮状態、または、伸展状態にすることで、ブローアウトパネル１Ｄを、軸部１１Ｄを中心として回動させて開口部２ａを開閉させる。
【００６８】
［第５変形例］
図９は、本発明の実施形態に係るブローアウトパネル開閉装置１００Ｅの第５変形例を示す図で、（ａ）は開口部２ａを閉塞しているときの状態を示す一部断面を有する概略側面図、（ｂ）は開口部２ａを開放したときの状態を示す一部断面を有する概略側面図、（ｃ）は開口部２ａが閉塞されたときの状態を示す一部断面を有する概略側面図である。
【００６９】
また、図９（ａ）、（ｂ）、（ｃ）に示すように、ブローアウトパネル１Ｅは、基端部側に折曲形成された折曲部１Ｅａと、折曲部１Ｅａに回動自在に軸支された軸部１１Ｅと、折曲部１Ｅａの先端に形成されて係止爪１Ｅｂと、を備え、開閉装置３Ｅは、センサＳで検出した検出信号で駆動するモータＭｅと、モータＭｅによって回転駆動され、係止爪１Ｅｂに係止するラチェット歯３１Ｅａを有するラチェット歯車３１Ｅと、を備え、モータＭｅは、センサＳで検出した検出信号で回転駆動して、ラチェット歯車３１Ｅを回転させて、ラチェット歯３１Ｅａが係止爪１Ｅｂを回動させることで、ブローアウトパネル１Ｅを、軸部１１Ｅを中心として回動させて開口部２ａを開閉させるようにしてもよい。
【００７０】
この場合、ブローアウトパネル１Ｅは、基端部に折曲部１Ｅａを有して、側面視して、略Ｌ字形状に形成されている。折曲部１Ｅａは、先端部に係止爪１Ｅｂが形成され、中央部に軸部１１Ｅが設けられて、ブローアウトパネル１Ｅを、軸部１１Ｅを中心として軸支している。
【００７１】
モータＭｅは、開閉装置３Ｅのラチェット歯車３１Ｅを回転駆動させるための電動モータである。
ラチェット歯車３１Ｅは、ブローアウトパネル１Ｅの係止爪１Ｅｂを押圧して、ブローアウトパネル１Ｅを回動させるための回転部材である。ラチェット歯車３１Ｅは、ケース体３３Ｅの天井面から垂下したラチェット支持部材３２Ｅによって回転自在に軸支されている。ラチェット歯車３１Ｅは、係止爪１Ｅｂに係止してブローアウトパネル１Ｅを回動させるラチェット歯３１Ｅａと、係止爪１Ｅｂを回動させない円弧状部３１Ｅｂと、を有する円板状部材からなる。
モータＭｅ及びラチェット歯車３１Ｅは、開口部２ａの天井面に固定されたケース体３３Ｅ内に設けられている。
【００７２】
かかる構成によれば、モータＭｅは、センサＳの検出信号で回転駆動して、ラチェット歯車３１Ｅを回転させて、ラチェット歯３１Ｅａが係止爪１Ｅｂを回動させることで、ブローアウトパネル１Ｅを回動させて開口部２ａを開放させる。また、ブローアウトパネル１Ｅは、係止爪１Ｅｂが円弧状部３１Ｅｂの外周面のあるときは、ラチェット歯車３１Ｅによって係止爪１Ｅｂが押圧されないため、開口部２ａを閉塞させる。
【００７３】
［その他の変形例］
なお、開口部２ａは、建造物２の側壁に設けたものであればよく、壁部２１に取り付けた窓枠や、出窓状のものであってもよい。
また、シール材４は、開口部２ａの屋外側の開口縁に設けたブローアウトパネル１に当接して密閉状態になるものであればよい。また、シール材４は、パッキン、ガスケットに限定されず、シール性を有するものであればよく、例えば、Ｏリング等であってもよい。
【００７４】
また、前記したヒンジ部１０の軸部１１には、図１に示すブローアウトパネル１を、開方向または閉方向に回動させるバネ力を有するバネ部材を配置してもよい。
また、開口部２ａの下部には、ブローアウトパネル１を強制的に開放状態にする強制開放機構を設けてもよい。
【００７５】
開口部２ａを開閉するブローアウトパネル１（図１参照）は、開口部２ａの上側にヒンジ部１０を配置してヒンジ部１０を中心として開閉するものに限定されるものではなく、横開き式（横開閉式）のものや、ブローアウトパネル１を２枚設けた観音開き式のものであってもよい。
【符号の説明】
【００７６】
１，１Ａ，１Ｂ，１Ｄ，１Ｅ  ブローアウトパネル
１Ｄａ，１Ｅａ  折曲部
１Ｅｂ  係止爪
２      建造物
２ａ    開口部
３，３Ａ，３Ｂ，３Ｃ，３Ｄ，３Ｅ  開閉装置
１０，１０Ａ  ヒンジ部
１１Ｃ，１１Ｄ，１１Ｅ  軸部
３０Ａ  シリンダ機構
３０Ｂ  ベルトコンベア
３０Ｃ  ウインチ装置
３１    ネジ部材
３１Ｂ  ベルト
３１Ｃ  ワイヤ
３１Ｄ  回動部材
３１Ｅ  ラチェット歯車
３１Ｅａ  ラチェット歯
３１Ｅｂ  係止爪
３２    雌ネジ部材
３２Ｄ  圧縮バネ
３３    連結部材
３３Ｂ  ガイド
３３Ｄ  押圧装置
１００，１００Ａ，１００Ｂ，１００Ｃ，１００Ｄ，１００Ｅ  ブローアウトパネル開閉装置
Ｍ，Ｍｂ，Ｍｅ  モータ
Ｓ      センサ
【図１】
2020165739.tif 000003
【図２】
2020165739.tif 000004
【図３】
2020165739.tif 000005
【図４】
2020165739.tif 000006
【図５】
2020165739.tif 000007
【図６】
2020165739.tif 000008
【図７】
2020165739.tif 000009
【図８】
2020165739.tif 000010
【図９】
2020165739.tif 000011